(57)【要約】【課題】任意のメモ情報を容易に通帳に印字する技術を提供する。【解決手段】通帳取扱装置である自動取引装置１０は、通帳に手書きされた内容を抽出して追加印字候補を生成する抽出手段３１と、抽出手段３１により生成された追加印字候補を格納手段３３に格納させる格納制御手段３２と、格納手段３３に格納された追加印字候補を表示手段に表示させる表示制御手段３４と、表示手段に表示された追加印字候補の中から利用者により選択された追加印字候補を特定する印字候補特定手段３５と、印字候補特定手段３５により特定された追加印字候補を通帳に印字する印字手段３７と、を備える。【選択図】図２
2014002488.tif 000002
【特許請求の範囲】
【請求項１】
通帳に手書きされた内容を抽出して追加印字候補を生成する抽出手段と、
前記抽出手段により生成された追加印字候補を格納手段に格納させる格納制御手段と、
前記格納手段に格納された追加印字候補を表示手段に表示させる表示制御手段と、
前記表示手段に表示された追加印字候補の中から利用者により選択された追加印字候補を特定する印字候補特定手段と、
前記印字候補特定手段により特定された追加印字候補を前記通帳に印字する印字手段と、を備える
ことを特徴とする通帳取扱装置。
【請求項２】
請求項１に記載の通帳取扱装置において、
前記抽出手段は、前記通帳の画像に対して文字認識処理を行うことで得られる情報と前記通帳に印字済みの情報との差分から追加印字候補を生成する
ことを特徴とする通帳取扱装置。
【請求項３】
請求項２に記載の通帳取扱装置において、さらに、
前記印字候補特定手段により特定された追加印字候補を前記通帳に印字する位置として利用者により選択された位置を特定する印字位置特定手段と、を備え、
前記印字手段は、前記印字候補特定手段により特定された追加印字候補を前記印字位置特定手段により特定された位置に印字する
ことを特徴とする通帳取扱装置。
【請求項４】
通帳に手書きされた内容を抽出して追加印字候補を生成する抽出ステップと、
前記抽出ステップで生成された追加印字候補を格納手段に格納させる格納制御ステップと、
前記格納手段に格納された追加印字候補を表示手段に表示させる表示制御ステップと、
前記表示手段に表示された追加印字候補の中から利用者により選択された追加印字候補を特定する印字候補特定ステップと、
前記印字候補特定ステップで特定された追加印字候補を前記通帳に印字する印字ステップと、を備える
ことを特徴とする通帳取扱方法。
【請求項５】
コンピュータを
通帳に手書きされた内容を抽出して追加印字候補を生成する抽出手段、
前記抽出手段により生成された追加印字候補を格納手段に格納させる格納制御手段、
前記格納手段に格納された追加印字候補を表示手段に表示させる表示制御手段、
前記表示手段に表示された追加印字候補の中から利用者により選択された追加印字候補を特定する印字候補特定手段、
前記印字候補特定手段により特定された追加印字候補を前記通帳に印字する印字手段、として機能させる
ことを特徴とするプログラム。
【発明の詳細な説明】
【技術分野】
【０００１】
本発明は、ＡＴＭ（Automatic Teller Machine）などの通帳を取り扱う紙幣取扱装置、ＡＴＭなどで使用される通帳の通帳取扱方法、ＡＴＭなどの通帳を取り扱う紙幣取扱装置のプログラムに関する。
【背景技術】
【０００２】
現在、金融機関のＡＴＭで通帳に印字される情報は、取引額や取引日時などの予め決められた定型の情報（以降、取引情報と記す。）に限られている。しかしながら、そのような取引情報とともに、例えば、取引の目的などの個人的情報（以降、メモ情報と記す。）を通帳に印字したいという要求は、従来から潜在的に存在している。
【０００３】
このような潜在的な要求に関連する技術が、例えば、特許文献１に開示されている。特許文献１では、利用者が入力する任意のコメントを通帳に印字する機能と、画面上に表示された複数のボタンから利用者が選択したボタンに対応するお金の用途（位置付け）情報を通帳に印字する機能と、を備えた自動取引装置が開示されている。
【先行技術文献】
【特許文献】
【０００４】
【特許文献１】特開平８−２３５２８０号公報
【発明の概要】
【発明が解決しようとする課題】
【０００５】
特許文献１に開示される自動取引装置によれば、任意のコメントを入力して通帳に印字することができる。しかしながら、利用者は自動取引装置の画面上に表示されるソフトウェアキーボードからコメントを入力する必要があるため、コメントの入力には手間と時間がかかってしまう。その結果、自動取引装置を利用するための待ち時間が長くなってしまう。
【０００６】
また、特許文献１に開示される自動取引装置によれば、画面上に表示された用途選択のためのボタンを選択して押下するだけで、お金の用途を容易に通帳に印字することができる。しかしながら、通帳に印字できる用途が自動取引装置の画面に表示されたボタンに対応する予め決められた用途に限られてしまうため、利用者が印字したい情報を通帳に印字することができるとは限らない。
【０００７】
以上のような実情を踏まえ、本発明は、任意のメモ情報を容易に通帳に印字する技術を提供することを目的とする。
【課題を解決するための手段】
【０００８】
本願の一態様は、通帳に手書きされた内容を抽出して追加印字候補を生成する抽出手段と、前記抽出手段により生成された追加印字候補を格納手段に格納させる格納制御手段と、前記格納手段に格納された追加印字候補を表示手段に表示させる表示制御手段と、前記表示手段に表示された追加印字候補の中から利用者により選択された追加印字候補を特定する印字候補特定手段と、前記印字候補特定手段により特定された追加印字候補を前記通帳に印字する印字手段と、を備える通帳取扱装置を提供する。
【０００９】
本願の別の態様は、通帳に手書きされた内容を抽出して追加印字候補を生成する抽出ステップと、前記抽出ステップで生成された追加印字候補を格納手段に格納させる格納制御ステップと、前記格納手段に格納された追加印字候補を表示手段に表示させる表示制御ステップと、前記表示手段に表示された追加印字候補の中から利用者により選択された追加印字候補を特定する印字候補特定ステップと、前記印字候補特定ステップで特定された追加印字候補を前記通帳に印字する印字ステップと、を備える通帳取扱方法を提供する。
【００１０】
本願の更に別の態様は、コンピュータを、通帳に手書きされた内容を抽出して追加印字候補を生成する抽出手段、前記抽出手段により生成された追加印字候補を格納手段に格納させる格納制御手段、前記格納手段に格納された追加印字候補を表示手段に表示させる表示制御手段、前記表示手段に表示された追加印字候補の中から利用者により選択された追加印字候補を特定する印字候補特定手段、前記印字候補特定手段により特定された追加印字候補を前記通帳に印字する印字手段、として機能させるプログラムを提供する。
【発明の効果】
【００１１】
本発明によれば、任意のメモ情報を容易に通帳に印字する技術を提供することができる。
【図面の簡単な説明】
【００１２】
【図１】本発明の一実施形態に係る自動取引装置の構成図である。
【図２】図１に例示される自動取引装置の機能ブロック図である。
【図３】図１に例示される自動取引装置で行われる通帳処理のフローチャートである。
【図４Ａ】図１に例示される自動取引装置に表示される通帳挿入画面を例示した図である。
【図４Ｂ】図１に例示される自動取引装置に表示される追加印字選択画面を例示した図である。
【図４Ｃ】図１に例示される自動取引装置に表示される追加印字選択詳細画面を例示した図である。
【図５】図１に例示される自動取引装置に挿入される通帳の記帳欄を例示した図である。
【図６Ａ】図１に例示される自動取引装置に挿入される通帳の磁気ストライプのデータ構造を例示した図である。
【図６Ｂ】図１に例示される自動取引装置と通信するホストコンピュータのデータベースの構造を例示した図である。
【図６Ｃ】図１に例示される自動取引装置とホストコンピュータの間で追加印字候補をやり取りする電文を例示した図である。
【発明を実施するための形態】
【００１３】
図１は、本発明の一実施形態に係る自動取引装置の構成図である。図１に例示される自動取引装置１０は、ホストコンピュータ１００と通信して口座取引等を行った結果などの通常の取引情報に加えて、任意のメモ情報を通帳に印字することができる通帳取扱装置である。図１を参照しながら、自動取引装置１０の構成について説明する。
【００１４】
図１に例示されるように、自動取引装置１０には、通帳１が挿入される挿入口１１と、挿入口１１から装置内部に向かって伸びる搬送路１２が形成されていて、自動取引装置１０は、搬送路１２沿いに、通帳１の磁気ストライプ（Magnetic Stripe、以降、ＭＳと記す。）対して読み書きを行うＭＳ部１４と、通帳の記帳欄を撮像し、得られた画像内の文字、数字、記号等の文字認識を行うＯＣＲ部１５と、通帳１の記帳欄に取引情報やメモ情報を印字する印字部１６と、通帳１の頁を捲る捲り部１７とを備えている。
【００１５】
自動取引装置１０は、さらに、操作画面を表示する表示部１８と、表示部１８に操作画面を表示させる画面表示処理部１９と、利用者の操作を受け付ける入力部２０と、入力部２０で受け付けた利用者の操作を検出する利用者画面操作管理部２１と、ネットワーク２００を介してホストコンピュータ１００と各種データのやり取りを行うホスト通信部２２と、自動取引装置１０の動作を制御するＣＰＵ（Central Processing Unit）２３と、自動取引装置１０の動作に必要な情報を記憶するメモリ２４と、を備えている。
【００１６】
ここで、表示部１８は、例えば、液晶ディスプレイ（ＬＣＤ）であり、画面表示処理部１９は、例えば、そのＬＣＤの駆動制御部である。また、入力部２０は、例えば、液晶ディスプレイに重ねて配置されたタッチパネルであり、利用者画面操作管理部２１は、例えば、そのタッチパネルからのアナログ信号を検出しデジタル信号に変換して操作信号を出力する回路である。また、メモリ２４は、例えば、ＲＡＭ（Random Access Memory）、ＲＯＭ（Read Only Memory）、ＨＤＤ（Hard Disk Drive）などである。メモリ２４には、自動取引装置１０の制御プログラムやその実行に必要な各種データが記録されている。メモリ２４は、プログラム実行中のワークスペースとしても利用される。
【００１７】
図２は、図１に示される自動取引装置の機能ブロック図である。図２を参照しながら、自動取引装置１０の機能、特に、任意のメモ情報を通帳に印字する機能について説明する。
【００１８】
図２に例示されるように、自動取引装置１０は、通帳１に手書きされた内容を抽出して、抽出した内容から通帳１にメモ情報として印字する候補（以降、追加印字候補と記す。）を生成する抽出手段３１と、抽出手段３１により生成された追加印字候補を格納手段３３に格納させる格納制御手段３２と、格納手段３３に格納された追加印字候補を表示手段に表示させる表示制御手段３４と、表示手段に表示された追加印字候補の中から利用者により選択された追加印字候補を特定する印字候補特定手段３５と、印字候補特定手段３５により特定された追加印字候補を通帳１に印字する位置として利用者により選択された通帳１の位置を特定する印字位置特定手段３６と、印字候補特定手段３５により特定された追加印字候補を印字位置特定手段３６により特定された通帳１の位置に印字する印字手段３７と、を備えている。
【００１９】
ここで、図２における抽出手段３１、格納制御手段３２、表示制御手段３４、印字手段３７は、それぞれ、例えば、図１における、ＣＰＵ２３及びＯＣＲ部１５、ＣＰＵ２３及びホスト通信部２２、ＣＰＵ２３及び画面表示処理部１９、ＣＰＵ２３及び印字部１６によって実現される。また、図２における印字候補特定手段３５及び印字位置特定手段３６は、例えば、ＣＰＵ２３及び利用者画面操作管理部２１によって実現される。さらに、図２における格納手段３３は、例えば、ホストコンピュータ１００のデータベース１０１である。
【００２０】
自動取引装置１０では、自動取引装置１０に通帳１が挿入されると、抽出手段３１が、自動取引装置１０に挿入された通帳１に手書きされた内容（文字、数字、記号など）を抽出して、抽出した内容から追加印字候補を生成する。格納制御手段３２は、生成された追加印字候補を格納手段３３に格納させる。
【００２１】
その後、通常の取引情報に加えてメモ情報を通帳に印字することを利用者が選択すると、表示制御手段３４が格納手段３３に格納されている追加印字候補を表示手段に表示させる。さらに、表示された追加印字候補の中から印字すべき追加印字候補とそれを印字すべき通帳１中の位置を利用者が選択すると、印字候補特定手段３５が利用者により選択された追加印字候補を特定するとともに、印字位置特定手段３６が利用者により選択された通帳１の位置を特定して、印字手段３７が特定された追加印字候補を特定された位置に印字する。
【００２２】
このように、自動取引装置１０は、通常の取引情報に加えて、通帳１に手書きされた内容を通帳に印字する機能を有している。また、利用者は任意のメモ情報を通帳１に手書きすることができるのであるから、自動取引装置１０は、任意のメモ情報を通帳１に印字する機能を有している。
【００２３】
図３は、図１に例示される自動取引装置で行われる通帳処理のフローチャートである。図４Ａから図４Ｃは、図１に例示される自動取引装置に表示される各種画面を例示した図である。図５は、図１に例示される自動取引装置に挿入される通帳の記帳欄を例示した図である。図６Ａは、図１に例示される自動取引装置に挿入される通帳の磁気ストライプのデータ構造を例示した図である。図６Ｂは、図１に例示される自動取引装置と通信するホストコンピュータのデータベースの構造を例示した図である。図６Ｃは、図１に例示される自動取引装置とホストコンピュータの間で追加印字候補をやり取りするための電文を例示した図である。図３から図６Ｃを参照しながら、自動取引装置１０で行われる通帳処理、特に、通常の取引情報に加えて通帳１に手書きされた内容を通帳に印字するカー処理について、詳細に説明する。
【００２４】
まず、ＣＰＵ２３がメモリ２４に記憶されている制御プログラムを読み出して実行することにより、自動取引装置１０の処理が開始される。そして、図４Ａに例示される通帳挿入画面が自動取引装置１０の表示部１８に表示されている状態で、利用者が通帳１を自動取引装置１０に挿入口１１から挿入すると、ＭＳ部１４がＣＰＵ２３の制御に従って通帳１の磁気ストライプ（ＭＳ）を読取り、図６Ａに例示される構成を有するデータ（以降、ＭＳデータと記す。）を取得する（ステップＳ１）。取得したＭＳデータは、メモリ２４に一時記憶される。
【００２５】
ここで、自動取引装置１０で用いられる通帳のＭＳに記憶されているデータは、図６Ａに例示されるように、例えば、通帳１の口座を特定するための情報を含むフィールド（銀行番号フィールド、顧客番号フィールド、口座番号フィールド）と、通帳残高フィールドと、残り印字行フィールドと、から構成されている。
【００２６】
ＭＳ部１４によるＭＳ読取処理が終了すると、ＯＣＲ部１５がＣＰＵ２３の制御に従って通帳１の記帳欄を読み取る（ステップＳ２）。より詳細には、ＯＣＲ部１５は、例えば、図５に例示されるような記帳欄の画像を取得し、取得した画像に対して文字認識処理を実行して得られたデータ（以降、ＯＣＲデータと記す。）をメモリ２４に一時記憶させる。上記処理は、通帳１の記帳欄の最初の頁から、ステップＳ１で取得したＭＳデータの残り印字行によって特定される最後に印字された行を含む頁（以降、現在の頁と記す。）まで、を対象に行われる。
【００２７】
その後、ＣＰＵ２３は、ＯＣＲ部１５により生成されたＯＣＲデータから、手書きされた内容を抽出して、その抽出された内容から追加印字候補を生成する（ステップＳ３）。より詳細には、ＣＰＵ２３は、ＯＣＲデータとホストコンピュータ１００から取得した通帳１に印字済みのデータとを比較して差分を取り、その差分から追加印字候補を生成する。
【００２８】
ホストコンピュータ１００のデータベース１０１は、図６Ｂに例示されるように、例えば、口座を特定するための情報を含むフィールド（銀行番号フィールド、顧客番号フィールド、口座番号フィールド、通帳残高フィールド）、取引内容を示す情報を含む取引フィールド、追加印字候補を含む印字候補フィールドからなり、取引フィールドは、さらに詳細なフィールド（年月日、種別、金額、通帳印字、備考）からなる。ステップＳ３でＯＣＲデータと比較される印字済みのデータは、取引フィールド中の通帳印字フィールドの値が“済”となっているデータの集合である。
【００２９】
一方、ステップＳ３で印字済みのデータと比較されるＯＣＲデータは、通帳の記帳欄に印刷されている情報のうち、通帳にはじめから印刷されている部分を除いたデータである。つまり、ＯＣＲデータは、ドロップアウトカラーで印刷されている部分（図５に示される枠線Ｌ、列見出しＣ１、行見出しＲ１）を除く、自動取引装置１０で印字されたデータと手書きされたデータからなる。
【００３０】
このため、ＯＣＲデータから印字済みのデータを引いて差分を取ることで、手書きされた内容（以降、手書きデータと記す。）が抽出される。つまり、図５に例示される通帳の記帳欄を処理した場合であれば、手書きデータとして、“車検”と手書きした手書きメモ５１と、“お祝い”と手書きされた手書きメモ５２が抽出される。ＣＰＵ２３は、この抽出された手書きデータから、例えば、手書きメモ５１を追加印字候補１とし、手書きメモ５２を追加印字候補２とした、１または複数の追加印字候補を生成する。
【００３１】
追加印字候補が生成されると、ＣＰＵ２３が追加印字候補を含む電文を生成し、ホスト通信部２２がデータベース１０１に格納させるためにホストコンピュータ１００にその電文を送信する（ステップＳ４）。
【００３２】
ステップＳ４において自動取引装置１０とホストコンピュータ１００の間でやり取りされる電文は、図６Ｃに例示されるように、例えば、電文種別フィールド、口座を特定するための情報を含むフィールド（銀行番号フィールド、顧客番号フィールド、口座番号フィールド）、追加印字候補フィールドから構成されている。電文種別フィールドには、追加印字候補を送信する電文であることを示す種別のデータが、銀行番号フィールド、顧客番号フィールド及び口座番号フィールドには、ステップＳ１で取得したＭＳデータの対応するデータが、追加印字候補フィールドの追加印字候補１、追加印字候補２には、それぞれ、ステップＳ３で抽出された手書きメモ５１（“車検”）、手書きメモ５２（“お祝い”）が、含まれる。
【００３３】
ホストコンピュータ１００は、ステップＳ４で送信された電文を受信すると、図６Ｂに例示されるように、電文中の銀行番号フィールド、顧客番号フィールド及び口座番号フィールドのデータによりデータベース１０１の口座を特定し、その口座の印字候補フィールドに電文の追加印字候補フィールドに含まれる追加印字候補１（“車検”）、追加印字候補２（“お祝い”）を追加する。
【００３４】
利用者の操作に従って自動取引装置１０で通常の口座取引が行われると（ステップＳ５）、画面表示処理部１９がＣＰＵ２３の制御に従って、図４Ｂに例示される追加印字選択画面を表示部１８に表示させる。その後、入力部２０及び利用者画面操作管理部２１が利用者による通帳１への追加印字の指示の要否に関する入力を監視する。
【００３５】
利用者が図４Ｂに例示されるボタン４２を押下すると、利用者画面操作管理部２１が利用者によるボタン４２の押下を検出する。これを受けてＣＰＵ２３は、通帳１への追加印字が不要であると判断し（ステップＳ６、ＮＯ）、挿入口１１から通帳を返却して通帳処理を終了する。
【００３６】
一方、利用者が図４Ｂに例示されるボタン４１を押下すると、利用者画面操作管理部２１が利用者によるボタン４１の押下を検出する。これを受けてＣＰＵ２３は、通帳１への追加印字が必要であると判断する（ステップＳ６、ＹＥＳ）。ＣＰＵ２３は、ホスト通信部２２を介して、ホストコンピュータ１００に対して、ステップＳ１で取得したＭＳデータに対応する口座に関連付けてデータベース１０１に登録されている追加印字候補を要求し、その追加印字候補を含む電文をホストコンピュータ１００から受信する（ステップＳ７）。
【００３７】
ステップＳ７において自動取引装置１０とホストコンピュータ１００の間でやり取りされる電文は、ステップＳ４で送信した電文と同様に、図６Ｃに例示される構成を有している。ただし、電文種別フィールドには、追加印字候補を自動取引装置１０が受信する電文であることを示す種別のデータが、追加印字候補フィールドの追加印字候補１から追加印字候補４には、それぞれ“定期購入”、“結婚祝い”、“車検”、“お祝い”が、含まれる点が、ステップＳ４で送信した電文と異なっている。
【００３８】
電文を受信すると、画面表示処理部１９は、ＣＰＵ２３の制御に従って、図４Ｃに例示される追加印字選択詳細画面を表示部１８に表示させて（ステップＳ８）、利用者による追加印字すべき候補の選択と印字位置の選択とを促す。なお、追加印字選択詳細画面は、通帳１のイメージを表示する領域と、電文に含まれているすべての追加印字候補を表示する領域から構成されている。
【００３９】
その後、利用者画面操作管理部２１が、ＣＰＵ２３の制御に従って、利用者による追加印字候補の選択に関する入力を監視する（ステップＳ９）。
【００４０】
図４Ｃに例示される追加印字選択詳細画面の追加印字候補を表示する領域には、データベース１０１に登録されているすべての追加印字候補がリスト表示されるとともに、そのリストの最後に“その他”が表示される。利用者は、追加印字すべき候補に網掛け４４を移動させることでその候補を選択することができる。なお、“その他”を選択すると、図示しないソフトウェアキーボードが表示部１８に表示される。利用者は、ソフトウェアキーボードを用いて、リスト表示されていない任意の文字を追加印字候補として入力して選択してもよい。
【００４１】
利用者画面操作管理部２１が利用者による追加印字候補の選択を検出し、選択された追加印字候補を特定すると、ＣＰＵ２３は、特定された追加印字候補をメモリ２４に一時記憶させる。そして、利用者画面操作管理部２１は、ＣＰＵ２３の制御に従って、利用者による追加印字位置の選択に関する入力を監視する（ステップＳ１０）。
【００４２】
図４Ｃに例示される追加印字選択詳細画面に表示される通帳イメージの領域には、例えば、一頁単位で通帳イメージが表示され、ボタン４５、ボタン４６を押下することで前頁、次頁の通帳イメージを表示させることができる。利用者は、通帳イメージを表示する領域のカーソル４３を用いて、追加印字すべき文字を印字する位置を指定することができる。
【００４３】
利用者画面操作管理部２１が利用者による追加印字位置の選択を検出し、その位置を特定すると、ＣＰＵ２３は、特定された追加印字位置をメモリ２４に一時記憶させる。そして、印字部１６が、ＣＰＵ２３の制御に従って、メモリ２４に記憶されている追加印字候補を追加印字位置に印字する（ステップＳ１１）。その後、挿入口１１から通帳が返却されて通帳処理が終了する。
【００４４】
利用者は通帳１に個人的な情報を自由に書き込むことが可能である。また、利用者が通帳１に手書きした内容は自動取引装置で抽出されて、追加印字候補としてホストコンピュータ１００のデータベース１０１に利用者毎（より厳密には、口座毎）に蓄積される。また、データベース１０１に蓄積された利用者毎（口座毎）の追加印字候補は、利用者が追加印字を希望した場合に、自動取引装置１０の表示部１８に表示される。従って、自動取引装置１０によれば、表示された追加印字候補から任意の追加印字候補を選択するだけで任意のメモ情報を印字することが可能であり、任意のメモ情報を容易に通帳に印字することができる。
【００４５】
また、通帳１への個人的な情報を書き込む手書き行為は、金融機関の営業時間や自動取引装置１０の利用可能時間に制限されず、また、通帳１があればどこででも可能である。つまり、時間と場所が制限されない。このため、自動取引装置１０によれば、利用者にとって都合のよい時間と場所で追加印字候補の登録準備である通帳１への手書きを行うことが可能であり、利用者サービスの向上を図ることができる。
【００４６】
また、利用者が印字を望むメモ情報は、利用者単位でみた場合は、一般にそれほど多くはないと考えられる。また、通帳に一度手書きした内容はデータベース１０１に登録されることから、同じ内容を再度通帳１に手書きする必要がない。このため、自動取引装置１０によれば、自動取引装置で任意のメモ情報を印字することができずに利用者がすべてを手書きで通帳１に記載していた場合に比べて、通帳１の記帳欄に手書きされた文字等を減少させることができる。従って、手書きされた文字等によって通帳１の記帳欄の見栄えが悪くなるような事態を軽減することができる。
【００４７】
また、利用者が各人で追加印字候補を通帳１に記載して利用することになるため、自動取引装置１０では、予め追加印字候補を準備し管理する必要がない。従って、自動取引装置１０によれば、追加印字候補の拡充や変更などのメンテナンス作業が必要ないことから、自動取引装置１０の管理者に負担を課すことなく、任意のメモ情報を通帳に印字することができる。
【００４８】
なお、以上では、通帳が自動取引装置１０に挿入されると、通帳１の記帳欄の全頁に対して手書きされた内容を抽出する処理が行われる例が示されているが、必ずしも全頁に対して抽出処理を実行する必要はない。抽出処理が未だ実行されていない頁のみを対象として抽出処理を実行してもよい。抽出処理を実行する範囲を制限することで、処理時間の短縮を図ることができる。なお、この場合、通帳１のＭＳに抽出処理の実行済みの頁に関するデータを記録してもよい。一方、全頁に対して抽出処理を実行する場合には、利用者がすでに抽出処理済みの頁に手書きした場合であっても、その手書きした内容を追加印字候補として抽出し利用することができる。従って、自動取引装置１０では、抽出処理の対象を自由に設定することができることが望ましく、現在の頁を基準として抽出処理の対象とする範囲（例えば、前３頁分など）を設定することができるように構成されていてもよい。
【符号の説明】
【００４９】
１      通帳
１０      自動取引装置
１１      挿入口
１２      搬送路
１４      ＭＳ部
１５      ＯＣＲ部
１６      印字部
１７      捲り部
１８      表示部
１９      画面表示処理部
２０      入力部
２１      顧客画面操作管理部
２２      ホスト通信部
２３      ＣＰＵ
２４      メモリ
３１      抽出手段
３２      格納制御手段
３３      格納手段
３４      表示制御手段
３５      印字候補特定手段
３６      印字位置特定手段
３７      印字手段
４１、４２、４５、４６      ボタン
４３      カーソル
４４      網掛け
５１、５２      手書きメモ
１００      ホストコンピュータ
１０１      データベース
２００      ネットワーク
【図１】
2014002488.tif 000003
【図２】
2014002488.tif 000004
【図３】
2014002488.tif 000005
【図６Ｂ】
2014002488.tif 000006
【図６Ｃ】
2014002488.tif 000007
【図４Ａ】
2014002488.tif 000008
【図４Ｂ】
2014002488.tif 000009
【図４Ｃ】
2014002488.tif 000010
【図５】
2014002488.tif 000011
【図６Ａ】
2014002488.tif 000012